(57)【要約】【課題】バックプレーンに接続されディスクアレイコントローラに制御されているハードディスクは、その状態に関係なく電力供給がなされている。この電力供給方法では、故障ハードディスクがそのコントロール基板の故障により誤動作した際に、伝送効率や信頼性が低下する。【解決手段】ディスクアレイコントローラ２０にて故障状態として認識されたハードディスク３２ａへの論理的な切断を行う。次に、ハードディスク３２ａの障害状況を管理者に通知するために、バックプレーン３０にコマンドを送信しＬＥＤ表示を行うと共にハードディスク３２ａへの電源供給を制御しているスイッチ３３ａを操作して故障したハードディスク３２ａに対する電源供給を停止する。電源３４を切断された故障ハードディスク３２ａが交換される際には、物理的に取り外されたことを認識し、代替ハードディスクへの電源供給を可能にする。【選択図】図1
2006252236.tif 000002
【特許請求の範囲】
【請求項１】
複数のハードディスクを含み、該複数のハードディスクにより分担してデータを記録保持するハードディスク装置において、
前記複数のハードディスクにバスを介して接続され前記複数のハードディスクを制御するディスクアレイコントローラと、前記複数のハードディスクにそれぞれスイッチを介して動作電源を供給する電源と、前記ディスクアレイコントローラに接続され、前記複数のハードディスクに接続されたスイッチを制御するコントローラとを備え、該コントローラにより前記複数のハードディスクの前記スイッチを制御することを特徴とするハードディスク装置。
【請求項２】
前記ディスクアレイコントローラおよび前記ハードディスクは、バックプレーンを介して接続されることを特徴とする請求項１に記載のハードディスク装置。
【請求項３】
前記コントローラは、前記ディスクアレイコントローラからの制御信号により異常が検出されたハードディスクの前記スイッチをＯＦＦにすることを特徴とする請求項１又は２に記載のハードディスク装置。
【請求項４】
前記各ハードディスクの状態を表示して、異常の発生を管理者に通知する表示手段を備えることを特徴とする請求項１、２又は３に記載のハードディスク装置。
【請求項５】
電源と、該電源から動作電力が供給される複数のハードディスクと、該複数のハードディスクを制御するディスクアレイコントローラを備えるハードディスク装置において、
前記複数のハードディスクのうち前記ディスクアレイコントローラにより異常であると認識されたハードディスクの電源供給を停止する電源停止手段と、管理者が前記異常のあるハードディスクを取り外したことを検出し停止していた電源供給を開始する電源供給手段とを備えることを特徴とするハードディスク装置。
【請求項６】
複数のハードディスクを含むハードディスク装置において、
異常が発生したハードディスクを認識して論理的に電源を切り離す手段と、前記異常が発生したハードディスクへの電源を電気的に切断する手段と、前記異常が発生したハードディスクを表示する手段と、前記異常が発生したハードディスクを取り外したことを検出する手段とを備えることを特徴とするハードディスク装置。
【請求項７】
電源から動作電源の供給を受ける複数のハードディスクを含むハードディスク装置の電源制御方法において、
前記ハードディスクに障害が発生したことを検出するステップと、前記ハードディスクの障害ステータスを表示するステップと、前記障害が発生したハードディスクに電源供給を停止するステップと、前記ハードディスクの接続状態を表すＭＡＴＥＤ信号のＯＮ／ＯＦＦを判断するステップと、前記ＭＡＴＥＤ信号がＯＦＦのとき前記ハードディスクに電源供給を開始するステップとを備えることを特徴とするハードディスク装置の電源制御方法。
【請求項８】
前記障害ステータス表示は、ＬＥＤ（発光ダイオード）の表示を変更することにより行うことを特徴とする請求項７に記載のハードディスク装置の電源制御方法。
【請求項９】
前記複数のハードディスクへの電源は、共通電源からスイッチを介して供給されることを特徴とする請求項７又は８に記載のハードディスク装置の電源制御方法。
【発明の詳細な説明】
【技術分野】
【０００１】
本発明はハードディスク装置およびその電源制御方法に関し、特にディスクアレイコントローラとバックプレーンを使用するハードディスク装置およびその電源制御方法に関する。
【背景技術】
【０００２】
ハードディスク装置（ＨＤＤ）は、コンピュータ等の高速且つ大量のデータを記録保存する記録媒体として広く使用されている。ＨＤＤを使用するコンピュータが高性能になるに従って、益々大量のデータを高速で記録保存する必要性が生じる。そこで、複数のＨＤＤを含むディスクアレイを採用し、記録保存するべきデータに応じてこれら複数のＨＤＤを効率的に制御して使用する。また、複数のＨＤＤを使用すると、常時全てのＨＤＤが正常に動作するとは限らない。何らかの原因で、ディスクアレイを構成する複数のＨＤＤのうち、１台以上に異常又はトラブルが生じることがあり得る。
【０００３】
従来の技術では、バックプレーンに複数台接続されディスクアレイ制御装置（又はコントローラ）に制御されているハードディスクに異常が発生した際には、ディスクアレイコントローラは異常が発生したハードディスクを論理的に切り離す動作を行う。
【０００４】
また、ディスクアレイコントローラは異常が発生したハードディスクを管理者に伝える手段として、バックプレーンのＬＥＤ（発光ダイオード）の発光パターンを変更させることを行なっている。そこで、管理者は、バックプレーンのＬＥＤ表示からハードディスクの異常を認識し、異常のあるハードディスクをバックプレーンより物理的に切り離す。このとき初めて異常のあるハードディスクに対する電源供給が停止される。
【０００５】
斯かる技術分野における従来技術は、幾つかの技術文献に開示されている。故障等のためにＨＤＤを交換した場合であっても他のＨＤＤやコントローラに悪影響を与えないようにすることが可能なディスクアレイ装置が開示されている（例えば、特許文献１参照）。また、複数の物理デバイスに障害が発生した場合に、その物理デバイスを切り離し、電源の供給を停止することにより、低消費電力を実現する情報処理装置が開示されている（例えば、特許文献２参照）。
【０００６】
【特許文献１】特開２００１‐１０１７６３号公報（第４頁、第１図）
【特許文献２】特開平７‐２１９７１８号公報（第３頁、第１図）
【発明の開示】
【発明が解決しようとする課題】
【０００７】
従来の技術では、バックプレーンに接続されディスクアレイコントローラに制御されているハードディスクは、その状態に関係なく電力供給がなされている。つまり、異常が発生して論理的に切り離されている故障ハードディスクに対しても電力供給が行われている。この電力供給方法では故障ハードディスクがそのコントロール基盤の故障により誤動作した際に、伝送効率や信頼性が低下する問題を引き起こす可能性がある。具体例として、故障したハードディスクがディスクアレイからのポーリング信号に対し恰も正常であるかのような無効な信号を返信する場合がある。
【０００８】
ディスクアレイコントローラは、この返信がある度に故障ハードディスクへのチェックを繰り返し、結果として無効な信号が、バスを圧迫することで転送効率が低下する。高負荷の処理を行っているシステムにおいては、転送効率が低下した状態での運用は信頼性も低下する。実際に故障ハードディスクがバス上に無効なデータを流し続けたために、他の正常なハードディスクの転送効率が低下しシステムダウンを引き起こした障害事例がある。
【０００９】
本発明は、従来技術の上述した課題に鑑みなされたものであり、異常であると認識されたハードディスクへの電源供給を停止することにより、故障ハードディスクがバス上に無効な信号を送信するのを防止することが可能なハードディスク装置およびその電源制御方法を提供することを目的とする。
【００１０】
また、本発明の他の目的は、管理者により故障ハードディスクが正常なものと交換されることを考慮し、故障したハードディスクが物理的に取り外されたことを検知し、電源供給を開始することにより交換された正常なハードディスクへの電源供給を行えるハードディスク装置の電源制御方法を提供することである。更に、故障したハードディスクの電源供給を停止する事で、使用されていない機器に対して供給する消費電力を低減することである。
【課題を解決するための手段】
【００１１】
前述の課題を解決するため、本発明によるハードディスク装置およびその電源制御方法は、次のような特徴的な構成を採用している。
【００１２】
（１）複数のハードディスクを含み、該複数のハードディスクにより分担してデータを記録保持するハードディスク装置において、
前記複数のハードディスクにバスを介して接続され前記複数のハードディスクを制御するディスクアレイコントローラと、前記複数のハードディスクにそれぞれスイッチを介して動作電源を供給する電源と、前記ディスクアレイコントローラに接続され、前記複数のハードディスクに接続されたスイッチを制御するコントローラとを備え、該コントローラにより前記複数のハードディスクの前記スイッチを制御するハードディスク装置。
（２）前記ディスクアレイコントローラおよび前記ハードディスクは、バックプレーンを介して接続される上記（１）のハードディスク装置。
（３）前記コントローラは、前記ディスクアレイコントローラからの制御信号により異常が検出されたハードディスクの前記スイッチをＯＦＦにする上記（１）又は（２）のハードディスク装置。
（４）前記各ハードディスクの状態を表示して、異常の発生を管理者に通知する表示手段を備える上記（１）、（２）又は（３）のハードディスク装置。
（５）電源と、該電源から動作電力が供給される複数のハードディスクと、該複数のハードディスクを制御するディスクアレイコントローラを備えるハードディスク装置において、
前記複数のハードディスクのうち前記ディスクアレイコントローラにより異常であると認識されたハードディスクの電源供給を停止する電源停止手段と、管理者が前記異常のあるハードディスクを取り外したことを検出し停止していた電源供給を開始する電源供給手段とを備えるードディスク装置。
（６）複数のハードディスクを含むハードディスク装置において、
異常が発生したハードディスクを認識して論理的に電源を切り離す手段と、前記異常が発生したハードディスクへの電源を電気的に切断する手段と、前記異常が発生したハードディスクを表示する手段と、前記異常が発生したハードディスクを取り外したことを検出する手段とを備えるハードディスク装置。
（７）電源から動作電源の供給を受ける複数のハードディスクを含むハードディスク装置の電源制御方法において、
前記ハードディスクに障害が発生したことを検出するステップと、前記ハードディスクの障害ステータスを表示するステップと、前記障害が発生したハードディスクに電源供給を停止するステップと、前記ハードディスクの接続状態を表すＭＡＴＥＤ信号のＯＮ／ＯＦＦを判断するステップと、前記ＭＡＴＥＤ信号がＯＦＦのとき前記ハードディスクに電源供給を開始するステップとを備えるハードディスク装置の電源制御方法。
（８）前記障害ステータス表示は、ＬＥＤ（発光ダイオード）の表示を変更することにより行う上記（７）のハードディスク装置の電源制御方法。
（９）前記複数のハードディスクへの電源は、共通電源からスイッチを介して供給される上記（７）又は（８）のハードディスク装置の電源制御方法。
【発明の効果】
【００１３】
本発明のハードディスク装置およびその電源制御方法によると、次の如き実用上の顕著な効果が得られる。即ち、故障したハードディスクを電気的に切り離すことにより、ハードディスクのコントロール基板故障による無効データのバス上への流出を防ぎ、システムの動作を安定化するので、信頼性が向上する。また、故障と認識されたハードディスクの電源を切断することにより、使用していない機器に対する電力消費がなくなるので、低消費電力化が可能である。
【発明を実施するための最良の形態】
【００１４】
以下、本発明によるハードディスク装置およびその電源制御方法の好適実施例の構成および動作を、添付図面を参照して詳細に説明する。
【００１５】
先ず、図１は、本発明によるハードディスク装置の好適実施例の全体システム構成図を示す。本発明のハードディスク装置１０は、ディスクアレイコントローラ２０およびバックプレーン３０を介してこのディスクアレイコントローラ２０に接続されるバックプレーンコントローラ３１、複数のハードディスク３２ａ〜３２ｎおよび制御スイッチ３３ａ〜３３ｎを介してそれぞれのハードディスク３２ａ〜３２ｎに接続される電源３４により構成される。
【００１６】
図1に示すハードディスク装置１０において、ディスクアレイコントローラ２０とバックプレーン３０に接続されるハードディスク３２ａ〜３２ｎとは、バス４１を介して通信を行う。コントローラ３１とスイッチ３３ａ〜３３ｎとは、スイッチ制御線４２により接続されている。また、電源３４は、電源線４３を介してハードディスク３２ａ〜３２ｎへ電源を供給する。電源線４３は、スイッチ３３ａ〜３３ｎを使用してハードディスク３２ａ〜３２ｎへの電源供給を制御する。
【００１７】
次に、図２および図３を参照して、本発明によるハードディスク装置の電源制御方法を説明する。図２は、状態遷移図である。図３は、電源制御のフローチャートである。複数のハードディスク３２ａ〜３２ｎの何れか１台、例えばハードディスク３２ａに障害が発生したと仮定して本発明によるハードディスク装置の電源制御方法を説明する。
【００１８】
状態５１→状態５２[障害ハードディスク３２ａの電源切断]
障害ハードディスク３２ａの状態は、図２において状態５１である。ディスクアレイコントローラ２０は、ハードディスク３２ａの障害発生をバス４１より認識し、ハードディスク３２ａのステータスを故障とみなす（即ち、図３のおけるＨＤＤに障害発生となる）。ディスクアレイコントローラ２０は、コントローラ３１を制御して、ハードディスク３２ａの障害状態を、ＬＥＤ（発光ダイオード：図示せず）表示を変更して管理者に伝える（ステップＳ１）。このＬＥＤの表示変更は、同じＬＥＤの発光状態の変更（例えば、点滅等）又は発光色の変更（例えば、正常時の緑から異常時の赤への切替）等の種々の方法を選択可能である。次に、ディスクアレイコントローラ２０は、コントローラ３１、制御線４２およびスイッチ３３ａを使用してハードディスク３２ａへの電源供給を停止する。
【００１９】
状態５２→状態５３[障害ハードディスク３２ａの取り外し]
管理者は，ＬＥＤ表示からハードディスク３２の障害ステータスを読み取り、障害ハードディスク３２ａを取り外す。ハードディスク３２ａの接続状態を表すＭＡＴＥＤ信号がＯＮからＯＦＦへと変わる。コントローラ３１は、ＭＡＴＥＤ信号よりハードディスク３２ａが取り外されたことを認識する（ステップＳ３）。コントローラ２０は、制御線４２およびスイッチ３３ａを使用してハードディスク３２ａが接続されていたスロットへの電源供給を可能状態にする（ステップＳ４）。
【００２０】
状態５３→状態５１[正常ハードディスクの起動]
正常なハードディスク３２ａが接続された際には、ＭＡＴＥＤ信号はＯＦＦからＯＮへと変わる。ディスクアレイコントローラ２０は、バス４１を介して、交換された正常なハードディスク３２ａの接続を認識して冗長ディスク等の復旧作業を開始する。
【００２１】
上述の如く本発明は、故障したハードディスクをディスクアレイ管理下より電気的に切り離すことができる。これにより、ハードディスクコントロール基板の故障による無効な信号が原因でディスクアレイコントローラが誤動作するのを防止できる。従って、ディスクアレイコントローラを使用して複数のハードディスクを制御するシステム全般の信頼性向上を図る用途に適用できる。
【００２２】
以上、本発明によるハードディスク装置およびその電源制御方法の好適実施例の構成および動作を詳述した。しかし、斯かる実施例は、本発明の単なる例示に過ぎず、何ら本発明を限定するものでないことに留意されたい。本発明の要旨および精神を逸脱することなく、特定用途に応じて種々の変形変更が可能であること、当業者には容易に理解できよう。
【図面の簡単な説明】
【００２３】
【図１】本発明によるハードディスク装置の好適実施例のシステム構成図である。
【図２】図１に示すハードディスク装置の電源制御方法を説明する状態遷移図である。
【図３】図１に示すハードディスク装置の電源制御のフローチャートである。
【符号の説明】
【００２４】
１０  ハードディスク装置
２０  ディスクアレイコントローラ
３０  バックプレーン
３１  バックプレーンのコントローラ
３２ａ〜３２ｎ  ハードディスク（ＨＤＤ）
３３ａ〜３３ｎ  電源供給制御用スイッチ群
３４  電源
４１  バス
４２  スイッチ制御線
４３  電源供給線
【図１】
2006252236.tif 000003
【図２】
2006252236.tif 000004
【図３】
2006252236.tif 000005